(57)【要約】燃料タンク（１２）と、回転ピストン機械（１４）と、回転ピストン機械の出力シャフト（２０）により作動される発電機（１６）とを含む発電機構成体（１０）を開示する。この発電機構成体は、筐体（２）のチャンバ内に回転可能な態様で取付けられて回転シャフトが飛び移る間に出力シャフト（２０）を駆動し、かつ、オーバルな断面を有する回転ピストンが回転ピストンエンジン（１４）に設けられることにより、特徴付けられる。この回転ピストンには、その断面形状（４３）に対応する、オーバルな、長手方向を有する穴（２５）が設けられ、この穴の長軸は、断面形状の短軸の方向に延び、この穴は、出力シャフト上の少なくとも１つのピニオンと噛み合うオーバルな内歯車を含む。発電機（１６）および回転ピストン機械（１４）は、小型化されたユニットとして実現され、その体積は、燃料タンク（１２）の体積よりも数倍小さい。
2005538309.tif 000002
【特許請求の範囲】
【請求項１】
燃料タンク（１２）と、回転ピストンエンジン（１４）と、前記回転ピストンエンジンの出力シャフト（２０）により駆動される発電機（１６）とを含む発電機アセンブリ（１０）であって、
（ａ）  前記回転ピストンエンジン（１４）が、オーバルな断面の回転ピストン（５）を有し、前記回転ピストンが、筐体（２）に配置されたチャンバ内に回転可能な態様で取付けられ、回転軸が飛び移り、前記回転ピストンが、前記出力シャフト（２０）を駆動するように配置され、前記回転ピストンが、その断面形状（４３）に対応する、オーバルな、長手方向を有する穴（２５）を有し、前記長手方向を有する穴の長軸が、前記断面形状の短軸の方向に延び、前記穴が、出力シャフト上の少なくとも１つのピニオンと噛み合う中空の歯車を有し、
（ｂ）  前記発電機（１６）および前記回転ピストンエンジン（１４）が、小型化されたユニットとして形成され、その体積が、前記燃料タンク（１２）よりも実質的に小さいことを特徴とする、発電機アセンブリ。
【請求項２】
前記燃料タンク（１２）が交換可能であることを特徴とする、請求項１に記載の発電機アセンブリ。
【請求項３】
前記燃料タンク（１２）が再充填可能であることを特徴とする、請求項１または請求項２に記載の発電機アセンブリ。
【請求項４】
ラップトップ機、音楽再生装置、および玩具の移動式電力消費体のための電源として用いる、請求項１から請求項３のいずれかに記載の発電機アセンブリの使用方法。
【発明の詳細な説明】
【技術分野】
【０００１】
この発明は、燃料タンクと、回転ピストンエンジンと、回転ピストンエンジンの出力シャフトにより駆動される発電機とを含む発電機アセンブリに関する。
【背景技術】
【０００２】
先行技術
ＤＥ  １９９  ３０  ２８９から、回転ピストンエンジンが公知である。この回転ピストンエンジンにおいて、筐体内に配置された柱形チャンバの断面は、相対的に小さな曲率半径の第１の円弧と相対的に大きな曲率半径の第２の円弧とを交互に有し、かつ、これらの弧が連続して区別可能な態様で連結されたトリオーバルである。バイオーバルな断面の回転ピストンは、このチャンバ内で案内される。回転ピストンのバイオーバルな断面は、チャンバのトリオーバルな断面の、小さな曲率半径および大きな曲率半径のそれぞれを有する第１および第２の円弧を交互に配置することによって形成され、ここでも同様に、これらの円弧は連続して区別可能な態様で連結される。バイオーバルな回転ピストンは、トリオーバルなチャンバ内において、回転軸の瞬時の飛び移りを伴って作動サイクルを実行する。回転ピストンの動きは、極めて簡単に明示される。すなわち、駆動シャフトまたは従動シャフトが、トリオーバルなチャンバを通って中央に延び、すなわち、チャンバの対称軸の交点を通って延びる。駆動シャフトまたは従動シャフトはピニオンを担持する。回転ピストンは、内歯車を有するオーバルな開口部を有する。開口部の断面の長軸は、回転ピストンのバイオーバルな断面の短軸に沿って延びる。ピニオンは内歯車と絶えず噛み合う。
【発明の開示】
【発明が解決しようとする課題】
【０００３】
この発明の目的は、最初に述べる、移動式の使用方法に適合されるタイプの電源アセンブリを提供することである。
【課題を解決するための手段】
【０００４】
この発明に従い、この目的は以下の点において達成される。
【０００５】
（ａ）  回転ピストンエンジンは、オーバルな断面の回転ピストンを有し、この回転ピストンは、筐体に配置されたチャンバ内に回転可能な態様で取付けられ、回転軸が飛び移り、この回転ピストンは、出力シャフトを駆動するように配置され、回転ピストンは、その断面形状に対応する、オーバルな、長手方向を有する穴を有し、長手方向を有する穴の長軸は、断面形状の短軸の方向に延び、穴は、出力シャフト上の少なくとも１つのピニオンと噛み合う中空の歯車を有し、
（ｂ）  発電機および回転ピストンエンジンは、小型化されたユニットとして形成され、その体積は、燃料タンクよりも実質的に小さい。
【発明を実施するための最良の形態】
【０００６】
この発明は、ＤＥ  １９９  ２０  ２８９から公知の回転ピストンエンジンが、実質的に小型化されているにもかかわらず、適切な電源を形成し得るという発見に基づく。
【０００７】
このような発電機ユニットは、移動式の電力消費体のための電源として用いることができる。このような移動式の電力消費体は、たとえば、ラップトップ機、音楽再生装置、玩具等であり、これらは小さな電源を必要とする。なぜなら、そうでなければ、このような移動式の電力消費体を持ち運ぶことができないためである。発電機ユニットは、小型化に
より、蓄電池または従来のバッテリの機能を果たすことができる。このユニットは、電源において再充電される必要がなく、燃料を再充填するだけでよく、本線電源とは別個に運搬することも可能である。さらに、たとえ再充電が可能であるにせよ寿命が限られたバッテリまたは蓄電池におけるような廃棄上の問題もない。このような発電機ユニットの作動時間は、同等の体積のバッテリの作動時間よりも数桁分だけ長い。したがって、適用分野がより広くなる。特に、発電機ユニットは、電力が利用できないか、または限られた範囲でしか利用できない場所、たとえば遠征中または車両内等において、特に有利である。
【０００８】
電力の輸送が損失を伴うため、発電機ユニットは、電源から遠く離れた場所においても特に有利に使用され得る。ここで、発電機ユニットは、現在使用されている太陽電池に取って代わることができる。
【０００９】
さらに、発電機ユニットは、たとえばアラーム時計、または停電から保護されなければならない他の時計に対する非常用の電源としても用いることができる。
【００１０】
この発明の変更例は、サブクレームの主題である。この発明の実施例を、添付の図面を参照してより詳細に説明する。
【００１１】
実施例の説明
図１において、発電機アセンブリ１０が示される。発電機アセンブリ１０は、燃料タンク１２と、回転ピストンエンジン１４と、発電機１６とを含む。燃料タンク１２には、入口１８を介して燃料が充填され得る。しかしながら、燃料タンク１２の代わりに、既に充填された燃料タンクを用いることもできる。このため、回転ピストンエンジン１４は、燃料タンクに脱着可能な態様で取付けられる。回転ピストンエンジン１４の機構は、ＤＥ  １９９  ２０  ２８９に記載されたエンジンと同じである。この特許の内容は、明示的に援用される。回転ピストンエンジンは、出力シャフト２０を駆動する。発電機１６は、出力シャフトの機械的な力から電力を生成し、この電力は、２つの端子２２および２４において利用可能である。
【００１２】
図２において、回転ピストンエンジン１４の断面図が示される。回転ピストン５はバイオーバルな形状であり、中で回転ピストンが移動するチャンバは、トリオーバルである。オーバルは、非解析的な形４３であり、円弧によってのみ構成される。回転ピストンが移動して元の位置まで戻る１サイクルにおいて、回転ピストンは、３本の異なる軸の周囲を回転する。これらの軸は、トリオーバルなチャンバの「角部」の曲率の中心を通る。１つの回転軸から次の回転軸への遷移は、非連続的に生じる。回転ピストンの回転は、長手方向を有する穴２５を介して出力シャフト２０に伝達される。
【００１３】
発電機アセンブリは、街灯の支柱内に配置することができる。それにより、燃料タンクの外側寸法が、支柱の内径と実質的に等しくなる。小型化された回転ピストンエンジンおよび発電機ユニットが、ランプの部分に収容され、ランプに電力を供給する。
【００１４】
発電機アセンブリは、バッテリまたは蓄電池の外側寸法も有し得る。それにより、この発電機アセンブリを、必要であれば適切なアダプタとともに用いて、従来の電力消費体のバッテリまたは蓄電池の代わりに用いることができる。
【図面の簡単な説明】
【００１５】
【図１】発電機アセンブリを示す図である。
【図２】回転ピストンエンジンの断面図である。
【図１】
2005538309.tif 000003
【図２】
2005538309.tif 000004
【国際調査報告】
2005538309.tif 000005
2005538309.tif 000006
2005538309.tif 000007
2005538309.tif 000008
2005538309.tif 000009
2005538309.tif 000010